(57)【要約】
　　【課題】　完成度が高い立体絵画を容易に作成することができる立体絵画形成用シートを提供する。
　【解決手段】　複数のパーツ２２が個別に印刷され、各パーツ２２を切り抜いて貼り重ねることにより立体絵画を形成することができる立体絵画形成用シート１であって、パーツ２２は、立体絵画の一部を構成するデザインが表面側に印刷され裏面側識別記号が裏面側に付されており、少なくとも一のパーツ２２の表面側に貼着部２４が形成されており、少なくとも一の貼着部２４に表面側識別記号２４ａが付されており、表面側識別記号２４ａが示す順序に従って、一のパーツ２２に対し、該パーツ２２の表面側識別記号２４ａに対応する裏面側識別記号が付された他のパーツ２２を、表面側識別記号２４ａと裏面側識別記号とが平面視において重なり合うように貼り合わせることができる立体絵画形成用シート１。
【選択図】　図１
0003100392.tif 000002
【実用新案登録請求の範囲】
【請求項１】
複数のパーツが個別に印刷され、前記各パーツを切り抜いて貼り重ねることにより立体絵画を形成することができる立体絵画形成用シートであって、
　前記パーツは、立体絵画の一部を構成するデザインが表面側に印刷され、当該パーツを特定すると共に貼着位置を示す裏面側識別記号が裏面側に付されており、
　少なくとも一の前記パーツの表面側に、接着剤の配置箇所を示す１または複数の貼着部が形成されており、
　少なくとも一の前記貼着部に、他の前記パーツの貼着位置および貼着手順を示す表面側識別記号が付されており、
　前記表面側識別記号が示す順序に従って、一の前記パーツに対し、該パーツに付された前記表面側識別記号に対応する前記裏面側識別記号が付された他の前記パーツを、前記表面側識別記号と前記裏面側識別記号とが平面視において重なり合うように貼り合わせることができる立体絵画形成用シート。
【請求項２】
枠線に沿って切り抜き可能な台紙が更に印刷されており、
　前記台紙は、接着剤の配置箇所を示す１または複数の貼着部が形成されており、少なくとも一の前記貼着部に、前記パーツの貼着位置および貼着手順を示す表面側識別記号が付されており、
　前記表面側識別記号が示す順序に従って、前記台紙に対し、該台紙に付された前記表面側識別記号に対応する前記裏面側識別記号が付された前記パーツを、前記表面側識別記号と前記裏面側識別記号とが平面視において重なり合うように貼り合わせることができる請求項１に記載の立体絵画形成用シート。
【請求項３】
前記各貼着部は、必要な接着剤の量に対応した大きさに形成されている請求項１又は２に記載の立体絵画形成用シート。
【考案の詳細な説明】
【技術分野】
【０００１】
　本考案は、シャドーボックスなど立体絵画を形成するための立体絵画形成用シートに関する。
【背景技術】
【０００２】
　従来の立体絵画として、シャドーボックスが知られている。シャドーボックスとは、絵柄の一部を切り出して貼り重ねていくことにより、立体感のある絵画としたものである。最近では、シャドーボックス教室が全国各地で開かれるようになっており、一般の人々に対して作り方の指導が行われている。
【０００３】
　従来のシャドーボックスは、同じ絵柄の複数枚のプリントを用意し、絵柄に含まれる所定のパーツの輪郭をカッターナイフで切り抜いて、これらを貼り重ねることにより形成するのが一般的である（例えば、特許文献１）。
【特許文献１】特開２００２−２５４８９９号公報
【考案の開示】
【考案が解決しようとする課題】
【０００４】
　ところが、上記従来の作成方法は、切り出したパーツともとの絵柄との対応関係が不明確になり易く、特に初心者にとっては作業が困難であるという問題があった。また、もとの絵柄に含まれるパーツ同士が重なり合った状態で描かれている場合には、切り出したパーツに不要なデザインが残るために作品の見栄えが悪くなるという問題もあった。
【０００５】
　本考案は、このような問題を解決すべくなされたものであって、完成度が高い立体絵画を容易に作成することができる立体絵画形成用シートの提供を目的とする。
【課題を解決するための手段】
【０００６】
　本考案の前記目的は、複数のパーツが個別に印刷され、前記各パーツを切り抜いて貼り重ねることにより立体絵画を形成することができる立体絵画形成用シートであって、前記パーツは、立体絵画の一部を構成するデザインが表面側に印刷され、当該パーツを特定すると共に貼着位置を示す裏面側識別記号が裏面側に付されており、少なくとも一の前記パーツの表面側に、接着剤の配置箇所を示す１または複数の貼着部が形成されており、少なくとも一の前記貼着部に、他の前記パーツの貼着位置および貼着手順を示す表面側識別記号が付されており、前記表面側識別記号が示す順序に従って、一の前記パーツに対し、該パーツに付された前記表面側識別記号に対応する前記裏面側識別記号が付された他の前記パーツを、前記表面側識別記号と前記裏面側識別記号とが平面視において重なり合うように貼り合わせることができる立体絵画形成用シートにより達成される。
【０００７】
　この立体絵画形成用シートは、枠線に沿って切り抜き可能な台紙が更に印刷されていることが好ましく、前記台紙は、接着剤の配置箇所を示す１または複数の貼着部が形成されており、少なくとも一の前記貼着部に、前記パーツの貼着位置および貼着手順を示す表面側識別記号が付されたものが好ましく、前記表面側識別記号が示す順序に従って、前記台紙に対し、該台紙に付された前記表面側識別記号に対応する前記裏面側識別記号が付された前記パーツを、前記表面側識別記号と前記裏面側識別記号とが平面視において重なり合うように貼り合わせることができることが好ましい。
【０００８】
　これらの立体絵画形成用シートにおいて、前記各貼着部は、必要な接着剤の量に対応した大きさに形成されていることが好ましい。
【考案の効果】
【０００９】
　本考案に係る立体絵画形成用シートによれば、完成度が高い立体絵画を容易に作成することができる立体絵画形成用シートを提供することができる。
【考案を実施するための最良の形態】
【００１０】
　本考案の実施の形態について、添付図面を参照しながら説明する。図１及び図２は、本考案の一実施形態に係る立体絵画形成用シートを示しており、図１が表面図、図２が裏面図である。図１に示すように、立体絵画形成用シート１は、矩形状の紙材の表面側に、台紙領域１０およびパーツ領域２０が形成されている。
【００１１】
　台紙領域１０は、枠線に沿って切り取ることにより所定の額縁に対応する大きさの台紙１１が得られるように形成されており、例えばひまわりなどの絵柄が印刷されている。台紙領域１０の絵柄には、貼着箇所を示す記号やマークなど（例えば、白抜きの四角形）からなる複数の貼着部１２が形成されており、貼着部１２の少なくとも１つには、後述するパーツ２２の貼着位置及び貼着手順を示す数字などの表面側識別記号１２ａが付されている。表面側識別記号１２ａとしては、数字の他に、アルファベット、ひらがな、カタカナ等を用いることも可能である。貼着部１２は、必ずしも複数形成されている必要はなく、１カ所のみ形成されていてもよい。
【００１２】
　パーツ領域２０は、台紙領域１０に印刷された絵柄の一部に対応する複数のパーツ２２が個別に印刷されており、例えば絵柄がひまわりである場合には、ひまわりの花びら、葉、茎などが各パーツ２２に対応する。各パーツ２２は、立体絵画の一部を構成するデザインが印刷されていれば、必ずしも絵柄の一部である必要はなく、全体絵柄が印刷されたものもパーツ２２に該当する。
【００１３】
　各パーツ２２は、台紙領域１０と同様に、貼着位置を示す貼着部２４が必要に応じて形成されており、貼着部２４が形成されたパーツ２２には、他のパーツ２２の貼着位置及び手順を示す表面側識別記号２４ａが付されている。
【００１４】
　また、立体絵画形成用シート１の表面側には、パーツ２２を特定するパーツ識別記号２６ａが、対応する各パーツ２２の近傍に付されている。パーツ識別記号２６ａは、表面側識別記号１２ａ，２４ａと同様に、数字、アルファベット、ひらがな、カタカナ等の記号であり、本実施形態では連続番号により表している。尚、本実施形態においては、立体絵画形成用シート１の表面側に、立体絵画の作り方手順の概要も記載されている。
【００１５】
　一方、立体絵画形成用シート１の裏面側には、図２に示すように、各パーツ２２に対応する位置に、当該パーツ２２を特定するパーツ識別記号２６ａと同一の裏面側識別記号２８ａが付されている。裏面側識別記号２８ａは、パーツ２２自体を特定すると共に貼着位置を明らかにする。
【００１６】
　次に、上述のように構成された立体絵画形成用シート１を用いて立体絵画を作成する方法を説明する。まず、カッターナイフなどを用いて台紙領域１０の枠線１０ａに沿って切断すると共に、パーツ領域２０の各パーツ２２を輪郭線に沿って切断することにより、台紙１１及び複数のパーツ２２を切り取る。次に、図３（ａ）に示すように、台紙１１及びパーツ２２に形成された貼着部１２，２４のそれぞれに、塊状の接着剤Ｒを配置する。接着剤として、本実施形態においてはシリコーン系接着剤を用いているが、エポキシ系接着剤やウレタン系接着剤を用いることもできる。本実施形態においては、各貼着部１２，２４の大きさが必要な接着剤の量に対応した大きさとされており、多量の接着剤Ｒが必要な貼着部１２，２４は大きく形成され、少量の接着剤Ｒでよい貼着部１２，２４は小さく形成されている。これによって、各貼着部１２，２４への適正な供給量を視覚的に捉えることができ、パーツ２２を貼り合わせた際の接着剤のはみ出しを確実に防止することができる。
【００１７】
　そして、各パーツ２２を、台紙１１又は他のパーツ２２の表面側識別記号１２ａ，２４ａが示す順序に従って、順次貼着していく。まず、図３（ｂ）に示すように、表面側識別記号１２ａとして「１」が付された台紙１１に対して、この表面側識別記号１２ａに対応する裏面側識別記号２８ａが付されたパーツ２２を、表面側識別記号１２ａと裏面側識別記号２８ａとが平面視において重なり合うように位置合わせを行いながら貼着する。表面側識別記号１２ａに対応する裏面側識別記号２８ａとして、本実施形態においては表面側識別記号１２ａと同一の数字が付された裏面側識別記号２８ａを用いているが、表面側識別記号１２ａと裏面側識別記号２８ａとの対応関係が明確であれば、他の識別記号であってもよい。貼着したパーツ２２の表面側には、表面側識別記号１２ａとして「２」が付されている。
【００１８】
　次に、図３（ｃ）に示すように、貼着したパーツ２２に対して、このパーツ２２の表面側識別記号２４ａに対応する裏面側識別記号２８ａが付された他のパーツ２２を、表面側識別記号２４ａと裏面側識別記号２８ａとが平面視において重なり合うように位置合わせを行いながら貼着する。こうして、表面側識別記号２４が示す順序に従って、各パーツ２２を台紙１１又は貼着済みの他のパーツ２２に対して位置合わせを行いながら貼着していくことにより、立体絵画を完成させることができる。尚、完成状態で最表面に位置するパーツ２２の表面には貼着部２４が形成されていないので、貼着部２４が露出して完成品の美観に影響を及ぼすおそれはない。
【００１９】
　以上のように、本実施形態に係る立体絵画形成用シートによれば、表面側識別記号１２ａ，２４ａ及び裏面側識別記号２８ａによって、各パーツ２２の貼着順序及び貼着位置を明らかにすることができる。したがって、パーツ２２が多数存在する場合であっても作業を円滑に進めることができるので、従来のように完成した絵柄の一部を切り取って使用する必要がなく、それぞれ独立して印刷されたパーツ２２を用いて作業を行うことができる。この結果、初心者でも複雑な立体絵画を容易に作成することが可能になり、シャドーボックスなどの立体絵画の普及に供することができる。
【図面の簡単な説明】
【００２０】
【図１】本考案の一実施形態に係る立体絵画形成用シートの表面図である。
【図２】前記立体絵画形成用シートの裏面図である。
【図３】前記立体絵画形成用シートを用いて立体絵画を形成する手順の一例を説明するための概略図である。
【符号の説明】
【００２１】
　１　立体絵画形成用シート
１０　台紙領域
１１　台紙
１２　貼着部
１２ａ　表面側識別記号
２０　パーツ領域
２２　パーツ
２４　貼着部
２４ａ　表面側識別記号
２８ａ　裏面側識別記号
【図１】
0003100392.tif 000003
【図２】
0003100392.tif 000004
【図３】
0003100392.tif 000005